(57)【特許請求の範囲】
【請求項１】
内部に薬剤が収容されるボトル体と、
軸部及び先端側のケア部を有し、前記ボトル体の先端側に突設される人体をケアするためのケア体と、
前記ボトル体の先端部に設けられ、内部の薬剤を前記ケア体に導くための流路とを備え、
開封操作によって前記ボトル体内部の前記流路が薬剤流通可能となる薬剤一体型ケア具であって、
前記ケア体を覆うキャップ体をさらに備え、
前記流路として、前記ボトル体の先端部に、前記ケア体の軸部の基端側に対して内部の薬剤を導くための流路を設け、
前記キャップ体の基端部を、前記流路を塞ぐように前記ボトル体の先端部に連設し、
前記ボトル体から前記キャップ体の基端部をねじ切って離脱させる開封操作により、前記流路の吐出口が形成されることを特徴とする薬剤一体型ケア具。
【請求項２】
前記ボトル体の先端部に、前記ケア体の軸部を覆うように筒状に突出する筒状突部を設けるとともに、該筒状突部の壁内側に前記薬剤を筒状突部の先端側に導く流路を設け、
前記キャップ体の基端部を、前記流路を塞ぐように筒状突部の先端側に設ける請求項１に記載の薬剤一体型ケア具。
【請求項３】
前記ケア体が、ケア部が歯間ブラシ部である歯間ブラシ体、ケア部が歯ブラシ部である歯ブラシ体、又はケア部が舌クリーナー部である舌クリーナー体であり、前記軸部の外面に沿って前記薬剤がケア部に供給される請求項１又は２記載の薬剤一体型ケア具。
【請求項４】
前記ボトル体を軟質樹脂より構成する請求項１〜３のいずれか１項に記載の薬剤一体型ケア具。
【請求項５】
前記軟質樹脂が低密度ポリエチレン（ＬＤＰＥ）を含む請求項４に記載の薬剤一体型ケア具。
【請求項６】
前記ボトル体を収納可能な硬質材からなるホルダー本体部と、前記ケア体を覆う同じく硬質材からなるホルダーキャップ部とを有するホルダーを設け、
前記ホルダー本体部は、収納されるボトル体を側方より指で押圧できる開口部が周壁部に設けられ、
前記ホルダーキャップ部は、前記ホルダー本体部の先端部に着脱自在に設けられる請求項１〜５のいずれか１項に記載の薬剤一体型ケア具。
【請求項７】
前記ボトル体を収納可能な硬質材からなるホルダー本体部と、前記ケア体を覆う同じく硬質材からなるホルダーキャップ部とを有するホルダーを設け、
前記ホルダー本体部は、収納されるボトル体を基端側から押圧部材で押圧して圧縮する押圧機構を設けてなり、
前記ホルダーキャップ部は、前記ホルダー本体部の先端部に着脱自在に設けてなる請求項１〜５のいずれか１項に記載の薬剤一体型ケア具。
【請求項８】
前記押圧機構が、ホルダー本体部の基端側に内蔵されるスクリューロッドと、該スクリューロッドに螺合され、ホルダー本体部内壁に対して回転不能に且つ軸方向に移動可能に装着される押圧部材と、前記スクリューロッドを回転操作する操作部材とからなる請求項７に記載の薬剤一体型ケア具。
【請求項９】
前記ボトル体が軸方向に圧縮変形自在な蛇腹形状に構成される請求項７又は８に記載の薬剤一体型ケア具。
【発明の詳細な説明】
【技術分野】
【０００１】
本発明は、人や動物の口腔、皮膚、頭皮等のケア用に用いる薬剤一体型ケア具に関する。
【背景技術】
【０００２】
従来から、通常の歯ブラシでは除去することができない歯と歯の隙間の食物残渣や歯垢等を除去し、歯間部の歯肉をマッサージしたりするために歯間ブラシが使用されている（例えば、特許文献１等）。また、歯と歯の隙間部位は、嫌気性細菌が多く潜んでいることから、歯間ブラシの使用時に薬剤を使うと効果的であり、歯間ブラシの使用時に毛先に歯磨き剤等の口腔用の薬剤を付けて使用されることが多い。【０００３】
しかし、このような歯間ブラシは、外出先で使用されることも多いが、この場合に歯間ブラシと薬剤の容器の双方を所持することは、携帯性において不便である。このため、歯間ブラシと薬剤ボトルが一体化された薬剤一体型の歯間ブラシが開発されている（例えば、特許文献２等）。【０００４】
【特許文献１】特開平８−２６６３３６号公報
【特許文献２】特許第３８４４２６１号公報
【発明の開示】
【発明が解決しようとする課題】
【０００５】
しかしながら、上記特許文献２のような従来の薬剤一体型の歯間ブラシでは、ケア具と薬剤ボトルの容器との双方を所持する必要がない点で便利であるものの、薬剤ボトルからの薬剤供給孔が開いており、工場での生産（特に薬剤を入れた後）やその後の商品管理が難しい。特に製造中にボトルに外力が作用すると内部の薬剤が供給孔から出てしまうし、製造後に輸送、保管中にも同じく外力が作用してしまうことが生じえる。また、薬剤ボトル内外が連通しているので衛生面でも問題がある。【０００６】
したがって、本発明の目的は、外出先でケア具と薬剤の双方を使用する場合においても携帯性にすぐれ、生産、管理が容易で、経済的かつ衛生的な薬剤一体型ケア具を提供する点にある。
【課題を解決するための手段】
【０００７】
本発明の第１の態様に係る薬剤一体型ケア具は、内部に薬剤が収容されるボトル体と、軸部及び先端側のケア部を有し、前記ボトル体の先端側に突設される人体をケアするためのケア体と、前記ボトル体の先端部に設けられ、内部の薬剤を前記ケア体に導くための流路とを備え、開封操作によって前記ボトル体内部の前記流路が薬剤流通可能となることを特徴とする。【０００８】
第２の態様に係る薬剤一体型ケア具は、第１の態様に係る薬剤一体型ケア具であって、前記ケア体を覆うキャップ体をさらに備え、前記ボトル体の先端部に、前記ケア体の軸部の基端側に対して内部の薬剤を導くための流路を設け、前記キャップ体の基端部を、前記流路を塞ぐように前記ボトル体の先端部に連設し、前記ボトル体から前記キャップ体の基端部をねじ切って離脱させる開封操作により、前記流路の吐出口が形成される。【０００９】
第３の態様に係る薬剤一体型ケア具は、第２の態様に係る薬剤一体型ケア具であって、 前記ボトル体の先端部に、前記ケア体の軸部を覆うように筒状に突出する筒状突部を設けるとともに、該筒状突部の壁内側に前記薬剤を筒状突部の先端側に導く流路を設け、前記キャップ体の基端部を、前記流路を塞ぐように筒状突部の先端側に設ける。【００１０】
第４の態様に係る薬剤一体型ケア具は、第１の態様に係る薬剤一体型ケア具であって、前記ボトル体が、首部先端にシール部が設けられ、内部に薬剤が密閉状態で収容されており、前記ボトル体の首部に装着されるキャップ部材を備え、前記ケア体が、前記キャップ部材の外面側に突設され、前記ボトル体のシール部に対面する前記キャップ部材の内面側に突起を設けるとともに、前記キャップ部材の内面側から外面側に通じる薬剤流通用の通孔を設け、前記キャップ部材を前記ボトル体の首部に装着する開封操作により、前記突起が前記シール部を貫通し、前記通孔を通じて前記ボトル体の内部の前記薬剤を前記ケア体の基端部周辺に供給可能となる。【００１１】
第５の態様に係る薬剤一体型ケア具は、第４の態様に係る薬剤一体型ケア具であって、前記キャップ部材の外面側に筒状に突出する筒状突部を設け、前記筒状突部の内側に前記ケア体を突設するとともに、同じく筒状突部の内側に前記通孔を開口させ、当該筒状突部内側を薬剤の液溜め部としてなる。【００１２】
第６の態様に係る薬剤一体型ケア具は、第４の態様または第５の態様に係る薬剤一体型ケア具であって、前記通孔が、前記キャップ部材の突起から前記キャップ部材の外面側に通じる。【００１３】
第７の態様に係る薬剤一体型ケア具は、第２の態様から第６の態様のいずれかの態様に係る薬剤一体型ケア具であって、前記ケア体が、ケア部が歯間ブラシ部である歯間ブラシ体、ケア部が歯ブラシ部である歯ブラシ体、又はケア部が舌クリーナー部である舌クリーナー体であり、前記軸部の外面に沿って前記薬剤がケア部に供給される。【００１４】
第８の態様に係る薬剤一体型ケア具は、第１の態様に係る薬剤一体型ケア具であって、前記ボトル体が、首部先端にシール部が設けられ、内部に薬剤が密閉状態で収容されており、前記ケア体が、軸部内部に軸方向に薬剤を流す流通路を有するとともに、ケア部に薬剤を吐出する吐出口を有し、前記ボトル体の首部に装着されるキャップ部材を備え、前記ケア体が、前記キャップ部材の外面側に突設され、前記ボトル体のシール部に対面する前記キャップ部材の内面側に突起を設けるとともに、前記キャップ部材の突起から前記外面側に突設されたケア体の軸部の流通路に連通する薬剤流通用の通孔を設け、前記キャップ部材を前記ボトル体の首部に装着する開封操作により、前記突起が前記シール部を貫通し、前記通孔を通じて前記ボトル体の内部の前記薬剤を前記ケア体の軸部の流通路に供給可能となる。【００１５】
第９の態様に係る薬剤一体型ケア具は、第１の態様に係る薬剤一体型ケア具であって、前記ケア体を前記ボトル体の先端部との間で気密状に覆うキャップ体をさらに備え、前記ケア体が、軸部内部に軸方向に薬剤を流す流通路を有するとともに、ケア部に薬剤を吐出する吐出口を有し、前記ボトル体の先端部に、前記ケア体の軸部の流通路に連通し、該流通路に内部の薬剤を導くための流路を設け、前記ボトル体から前記キャップ体の基端部をねじ切って離脱させる開封操作により、前記流路を通じて前記ボトル体の内部の前記薬剤を前記ケア体の軸部流通路に供給可能となる。【００１６】
第１０の態様に係る薬剤一体型ケア具は、第９の態様に係る薬剤一体型ケア具であって、前記ボトル体先端部の流路にスリット弁を設ける。【００１７】
第１１の態様に係る薬剤一体型ケア具は、第８の態様から第１０の態様のいずれかの態様に係る薬剤一体型ケア具であって、前記ケア体が、ケア部が歯間ブラシ部である歯間ブラシ体、ケア部が歯ブラシ部である歯ブラシ体、ケア部が舌クリーナー部である舌クリーナー体、ケア部が先細の薬剤吐出部であるピック体、ケア部が歯面清掃部である歯面清掃体、またはケア部が薬剤塗布部である薬剤塗布体であり、前記軸部内部の流通路を通じて前記薬剤がケア部に供給され、前記吐出口から吐出する。【００１８】
第１２の態様に係る薬剤一体型ケア具は、第１の態様から第１１の態様のいずれかの態様に係る薬剤一体型ケア具であって、前記ボトル体を軟質樹脂より構成する。【００１９】
第１３の態様に係る薬剤一体型ケア具は、第１２の態様に係る薬剤一体型ケア具であって、前記軟質樹脂が低密度ポリエチレン（ＬＤＰＥ）を含む。【００２０】
第１４の態様に係る薬剤一体型ケア具は、第１の態様から第１３の態様のいずれかの態様に係る薬剤一体型ケア具であって、前記ボトル体をブローフィルシール法により成形する。【００２１】
第１５の態様に係る薬剤一体型ケア具は、第１の態様から第１４の態様のいずれかの態様に係る薬剤一体型ケア具であって、前記ボトル体を収納可能な硬質材からなるホルダー本体部と、前記ケア体を覆う同じく硬質材からなるホルダーキャップ部とを有するホルダーを設け、前記ホルダー本体部は、収納されるボトル体を側方より指で押圧できる開口部が周壁部に設けられ、前記ホルダーキャップ部は、前記ホルダー本体部の先端部に着脱自在に設けられる。【００２２】
第１６の態様に係る薬剤一体型ケア具は、第１の態様から第１４の態様のいずれかの態様に係る薬剤一体型ケア具であって、前記ボトル体を収納可能な硬質材からなるホルダー本体部と、前記ケア体を覆う同じく硬質材からなるホルダーキャップ部とを有するホルダーを設け、前記ホルダー本体部は、収納されるボトル体を基端側から押圧部材で押圧して圧縮する押圧機構を設けてなり、前記ホルダーキャップ部は、前記ホルダー本体部の先端部に着脱自在に設けてなる。【００２３】
第１７の態様に係る薬剤一体型ケア具は、第１６の態様に係る薬剤一体型ケア具であって、前記押圧機構が、ホルダー本体部の基端側に内蔵されるスクリューロッドと、該スクリューロッドに螺合され、ホルダー本体部内壁に対して回転不能に且つ軸方向に移動可能に装着される押圧部材と、前記スクリューロッドを回転操作する操作部材とからなる。【００２４】
第１８の態様に係る薬剤一体型ケア具は、第１６の態様または第１７の態様に係る薬剤一体型ケア具であって、前記ボトル体が軸方向に圧縮変形自在な蛇腹形状に構成される。
【発明の効果】
【００２５】
本発明の第１の態様に係る薬剤一体型ケア具によれば、ケア具と薬剤が一体であり携帯性、利便性に優れるとともに、開封操作によってボトル体内部の流路が薬剤流通可能となり、ケア体の供給される構成であるので、薬液封入後、生産の際や輸送、保管等の管理の際にボトル体に不測の外力が作用しても、ボトル体から内部の薬剤が漏れ出る心配がなく、生産、管理が容易となる。また、開封操作前は薬剤がボトル体に密封されるので衛生面にも優れた薬剤一体型ケア具を提供できる。【００２６】
第２の態様に係る薬剤一体型ケア具によれば、ケア体を覆うキャップ体をさらに備え、ボトル体の先端部に、前記ケア体の軸部の基端側に対して内部の薬剤を導くための流路を設け、前記キャップ体の基端部を、前記流路を塞ぐように前記ボトル体の先端部に連設し、前記ボトル体から前記キャップ体の基端部をねじ切って離脱させる開封操作により、前記流路の吐出口が形成されるので、使用前、ケア体がキャップ体で覆われているので衛生面で好ましく、また、使用時にキャップを外す操作と連動して流路が開封されるので、操作性に優れた薬剤一体型ケア具を提供できる。【００２７】
第３の態様に係る薬剤一体型ケア具によれば、ボトル体の先端部に、前記ケア体の軸部を覆うように筒状に突出する筒状突部を設けるとともに、該筒状突部の壁内側に前記薬剤を筒状突部の先端側に導く流路を設け、前記キャップ体の基端部を、前記流路を塞ぐように筒状突部の先端側に設けたので、使用時の薬剤の液ダレを防止することができるとともに、薬剤が多量に出てしまっても飛散することなくケア体に効率よく薬剤を供給することができる。【００２８】
第４の態様に係る薬剤一体型ケア具によれば、ケア体及びキャップ部材と、ボトル体とを別体で構成できるので、例えば薬剤を使い切ったボトル体のみ新しいものに交換して、ケア体とキャップ部材を再利用することも可能となり、ユーザーにとって便利であるとともに、生産についてもケア体及びキャップ部材とボトル体とを別に製造、管理できるので効率よく生産することが可能となる。【００２９】
第５の態様に係る薬剤一体型ケア具によれば、キャップ部材の外面側に筒状に突出する筒状突部を設け、前記筒状突部の内側に前記ケア体を突設するとともに、同じく筒状突部の内側に前記通孔を開口させ、当該筒状突部内側を薬剤の液溜め部としてなるので、薬剤の液ダレをより確実に防止することができ、薬剤が多量に押し出されても飛散することなくケア体に効率よく薬剤を供給することができる。【００３０】
第６の態様に係る薬剤一体型ケア具によれば、通孔がキャップ部材の突起から前記キャップ部材の外面側に通じるように設けられているので、ボトル体のシール部を貫通した突起の通孔を通じてボトル内部の薬剤を確実にケア体に供給することができる。また薬剤の供給量をキャップ部材の開閉によって、容易に調節することも可能となる。【００３１】
第７の態様に係る薬剤一体型ケア具によれば、外出先に携帯して歯間ブラシ、歯ブラシ、舌クリーナーとして薬剤を塗布しながら便利に使用することができる。【００３２】
第８の態様に係る薬剤一体型ケア具によれば、第４の態様に係る薬剤一体型ケア具と同様、ケア体及びキャップ部材と、ボトル体とを別体で構成できるので、薬剤を使い切ったボトル体のみ新しいものに交換して、ケア体とキャップ部材を再利用することも可能となり、ユーザーにとって便利であるとともに、生産についてもケア体及びキャップ部材とボトル体とを別に製造、管理できるので効率よく生産することが可能となる。また、ケア体が、軸部内部に軸方向に薬剤を流す流通路を有するとともに、ケア部に薬剤を吐出する吐出口を有し、開封操作で突起がシール部を貫通することで、前記通孔を通じて薬剤がケア体軸部の流通路に供給され、薬剤をケア部により確実に供給することができる。【００３３】
第９の態様に係る薬剤一体型ケア具によれば、ケア体を前記ボトル体の先端部との間で気密状に覆うキャップ体をさらに備えるので、衛生面で好ましく、また、使用時にキャップを外す操作と連動して流路が開封されるので、操作性に優れた薬剤一体型ケア具を提供できる。また、キャップ体の基端部を流路を塞ぐようにボトル体の先端部に連設するのではなく、単にケア体を前記ボトル体の先端部との間で気密状に覆い、流通路を物理的に塞ぐのではなく前記気密状にすることで薬剤が出てこない構成としたので、構造が単純化して設計上の自由度が向上し、製造コストの低減を図ることが可能となる。【００３４】
第１０の態様に係る薬剤一体型ケア具によれば、ボトル体先端部の流路にスリット弁を設けたので、不測の大きな力でボトル体が押圧されても、薬剤がキャップ側に漏れ出ることを防止することができ、開封後もボトル体を強く押圧しても薬剤が出すぎることを抑制することができる。【００３５】
第１１の態様に係る薬剤一体型ケア具によれば、軸部内部の流通路を通じて薬剤を共有できる構造として、歯間ブラシ体、歯ブラシ体、舌クリーナー体、ピック体、歯面清掃体、薬剤塗布体として、外出先に携帯して薬剤を塗布しながら便利に使用することができる。【００３６】
第１２の態様に係る薬剤一体型ケア具によれば、ボトル体を軟質樹脂より構成したので、特別な構造を要することなく、ボトル体を手で押圧して容易に適量の薬剤を押し出すことが可能となる。【００３７】
第１３の態様に係る薬剤一体型ケア具によれば、軟質樹脂が低密度ポリエチレン（ＬＤＰＥ）であるので、軽くて操作性のよいボトル体を得ることができる。【００３８】
第１４の態様に係る薬剤一体型ケア具によれば、ボトル体がブローフィルシール法を用いて成形されているため、無菌環境下で薬剤をボトルに充填でき、パラベンやアルコール等の防腐剤を配合する必要なく長期の保存が可能となる。【００３９】
第１５の態様に係る薬剤一体型ケア具によれば、ボトル体を収納可能な硬質材からなるホルダー本体部と、前記ケア体を覆う同じく硬質材からなるホルダーキャップ部とを有するホルダーを設けたので、携帯時にケア具を保護（物理的な外力からの保護および衛星面での保護）できるとともに、ケア体やボトル体の構造をみえなくしてデザイン性を追及したホルダーにより美観性に優れた商品とし、商品の付加価値を向上することができ、使用時の持ちやすさも向上できる。さらに、一度開封して使用したケア具を携帯している際、鞄の中等でボトル体が押されて薬剤が鞄等に出てしまうといった不測の事態も防止することができる。ホルダー本体部は、収納されるボトル体を側方より指で押圧できる開口部が周壁部に設けられているので、ホルダーを装着しながらボトル体を指で押すことができ、薬剤を容易に押し出すことが可能となる。【００４０】
第１６の態様に係る薬剤一体型ケア具によれば、とくにホルダー本体部に収納されるボトル体を基端側から押圧部材で押圧して圧縮する押圧機構を設けたので、薬剤を容易に押し出すことが可能となる。【００４１】
第１７の態様に係る薬剤一体型ケア具によれば、操作部材を必要に応じて回転させることによって、薬剤の吐出量を調整し、思い通りの適量の薬剤を押し出すことが可能となる。【００４２】
第１８の態様に係る薬剤一体型ケア具によれば、ボトル体が蛇腹形状を有することによって、比較的粘度の高い薬剤を充填している場合であっても、容易に最後まで押し出すことが可能となる。
【図面の簡単な説明】
【００４３】
【図１】本発明の第１実施形態に係る薬剤一体型ケア具の全体構成図であり、（ａ）はキャップ体を外す開封前の状態を示す側面図、（ｂ）はキャップ体を外して開封した状態を示す側面図。
【図２】（ａ）は同じく薬剤一体型ケア具の開封前の要部を示す縦断面図、（ｂ）は同じく開封後の要部を示す縦断面図、（ｃ）は（ｂ）のＡ−Ａ横断面図。
【図３】（ａ）〜（ｄ）は、同じく薬剤一体型ケア具の軸部の変形例を示す断面図。
【図４】（ａ）は同じく薬剤一体型ケア具のボトル体上端部の変形例を示す開封前の要部を示す縦断面図、（ｂ）は同じく開封後の要部を示す縦断面図、（ｃ）は（ｂ）のＢ−Ｂ横断面図。
【図５】（ａ）は同じく薬剤一体型ケア具のボトル体上端部の構造の他の変形例を示す開封前の要部を示す縦断面図、（ｂ）は同じく開封後の要部を示す縦断面図、（ｃ）は（ｂ）のＣ−Ｃ横断面図。
【図６】（ａ）は同じく薬剤一体型ケア具のボトル体上端部の更に他の変形例を示す開封前の要部を示す縦断面図、（ｂ）は同じく開封後の要部を示す縦断面図。
【図７】（ａ）は同じく薬剤一体型ケア具のボトル体上端部の更に他の変形例を示す開封前の要部を示す縦断面図、（ｂ）は同じく開封後の要部を示す縦断面図。
【図８】（ａ）は同じく薬剤一体型ケア具にホルダーを装着した状態を示す側面図、（ｂ）は同じくホルダーの縦断面図。
【図９】薬剤一体型ケア具を装着したホルダーを持って、ボトル体を手指で押圧している様子を示す説明図。
【図１０】（ａ）は同じくホルダーの変形例を示す側面図、（ｂ）は同じく縦断面図、（ｃ）は使用状態を示す説明断面図。
【図１１】同じく薬剤一体型ケア具が連接して形成された「多連包容器タイプ」として構成した例を示す説明斜視図。
【図１２】（ａ）は同じく薬剤一体型ケア具のケア体を歯ブラシ体とした変形例を示す開封前の要部を示す縦断面図、（ｂ）は同じく歯ブラシ体の斜視図。
【図１３】（ａ）は同じく薬剤一体型ケア具のケア体を舌クリーナー体とした変形例を示す開封前の要部を示す縦断面図、（ｂ）は同じく舌クリーナー体の斜視図。
【図１４】本発明の第２実施形態に係る薬剤一体型ケア具の説明図。
【図１５】（ａ）は同じく薬剤一体型ケア具の全体構成を示す側面図、（ｂ）は同じく縦断面図。
【図１６】（ａ）は同じくキャップ体及びケア体を示す縦断面図、（ｂ）は（ａ）のＤ−Ｄ横断面図。
【図１７】（ａ）〜（ｄ）は、同じく薬剤一体型ケア具の軸部の変形例を示す断面図。
【図１８】同じく薬剤一体型ケア具のキャップ体の変形例を示す縦断面図。
【図１９】（ａ）〜（ｃ）は、同じくキャップ体を首部に装着して開封する様子を示す説明図。
【図２０】同じく変形例に係るキャップ体を首部に装着した状態を示す要部の縦断面図。
【図２１】（ａ）は同じく薬剤一体型ケア具にホルダーを装着した状態を示す側面図、（ｂ）は同じくホルダーの縦断面図。
【図２２】薬剤一体型ケア具を装着したホルダーを持って、ボトル体を手指で押圧している様子を示す説明図。
【図２３】（ａ）は同じくホルダーの変形例を示す側面図、（ｂ）は同じく縦断面図、（ｃ）は使用状態を示す説明断面図。
【図２４】ボトル体の変形例を示す説明図。
【図２５】同じく薬剤一体型ケア具が連接して形成された「多連包容器タイプ」として構成した例を示す説明斜視図。
【図２６】本発明の第３実施形態に係る薬剤一体型ケア具の説明図。
【図２７】（ａ）は同じく薬剤一体型ケア具の全体構成を示す側面図、（ｂ）は同じく縦断面図。
【図２８】同じくキャップ体及びケア体を示す縦断面図。
【図２９】同じくケア体の斜視図。
【図３０】歯ブラシ体を示す斜視図、同じく縦断面図。
【図３１】（ａ）〜（ｈ）は、舌クリーナー体を示す斜視図及び縦断面図。
【図３２】（ａ）〜（ｈ）は、歯面清掃体を示す斜視図及び縦断面図。
【図３３】（ａ），（ｂ）は、ピック体を示す斜視図及び縦断面図。
【図３４】（ａ）〜（ｆ）は、薬剤塗布体を示す斜視図及び縦断面図。
【図３５】（ａ）〜（ｄ）は、薬剤塗布体を示す斜視図及び縦断面図。
【図３６】（ａ）、（ｂ）は、薬剤塗布体を示す斜視図及び縦断面図。
【図３７】（ａ），（ｂ）は、本発明の第４実施形態に係る薬剤一体型ケア具の説明図。
【図３８】（ａ）は同じく薬剤一体型ケア具の要部の縦断面図、（ｂ）は（ａ）のＥ−Ｅ横断面図。
【符号の説明】
【００４４】
１Ａ、１Ｃ、１Ｅ  ボトル体
２  薬剤
４  ケア体
５  軸部
６  ケア部
１０Ａ〜１０Ｅ  キャップ体
１３  ブラシ支持部
１４、１４Ａ〜１４Ｅ  流路
１５ａ  開口部
１５ｂ  吐出口
１６  筒状突部
１７  液溜め部
１８  連結板
１９  包埋部
２０、２０Ａ，２０Ｂ  歯間ブラシ体
２０Ｃ  舌クリーナー体
２１、２１Ａ  ブラシ軸部
２１ａ〜２１ｄ  基端部
２２、２２Ａ  ブラシ部
２３、２４  凹溝
２５  金型パーティングライン
２６、２６Ａ  歯間ブラシ部
２６Ｂ  歯ブラシ部
２６Ｃ  舌クリーナー部
３０、３０Ａ〜３０Ｅ  薬剤一体型ケア具
３５  金型パーティングライン
４１Ａ、４１Ｂ  ボトル体
４３Ａ、４３Ｂ  本体部
４４  首部
４５  シール部
４６  ネジ部
４７  係合部
５０  押圧機構
５１  当接部
５２  連結部
５３  底部
５４  ネジ孔
５５  ガイド部
５６，５７  係合凹部
５８，５９  係合部
６０Ａ  首部
６０Ａ、６０Ｂ  キャップ部材
６１  内面
６２  外面
６３Ａ、６３Ｂ  突起
６４Ａ  流路
６５ａ、６５ｂ  開口部
６６  上壁部
６７  筒状突部
６８  雌ネジ部
６９  包埋部
７１  ブラシ軸部
７２  ブラシ部
７３ａ〜７３ｄ  基端部
７５  液溜め部
８０  ホルダー
８１  ホルダー本体部
８２  ホルダーキャップ部
８３  開口部
８４  環状凸部
８５  環状凹溝
９０  ホルダー
９１  ホルダー本体部
９２  ホルダーキャップ部
９３  環状凸部
９５  操作部
９６  スクリューロッド
９７  押圧部材
９８，９９  係合部
１００Ａ、１００Ｂ  薬剤一体型ケア具
１４３  ボトル体
１６０  キャップ部材
１６２  通孔
１６４  ブラシ毛
１６５、１７５  流通路
１７０  歯間ブラシ体
１７１  歯間ブラシ部
１７２  ブラシ軸部
１７６  吐出路
１７８  ブラシ片
２００  薬剤一体型ケア具
２６０  歯ブラシ体
２６１  歯ブラシ部
２６３  ヘッド
２６４  ブラシ毛
２６５、２７５、２８５、２９５  流通路
２６６  吐出路
２７０、２８０、２９０、３００  舌クリーナー体
２７１、２８１、２９１、３０１  舌クリーナー部
２７６  吐出口
２９４  ブラシ毛
２９６  吐出口
３０４  ブラシ毛
３０６  吐出口
３１０、３２０、３３０、３４０  歯面清掃体
３１１、３２１、３３１、３４１  歯面清掃部
３１５、３２５、３３５、３４５、３５５、３６５、３７１、３７５  流通路
３１６、３２６  吐出口
３５０  ピック体
３５６  薬剤吐出部
３６０、３７０、３８０、３９０、４００、４１０  薬剤塗布体
３６１、３７１、３８１、３９１、４０１、４１１  薬剤塗布部
３９５  貫通孔
３９６  吐出口
４１１  ボール
４１５  流通路
４１９  保持部
５００  薬剤一体型ケア具
５０１  ボトル体
５１０  キャップ体
５２０  スリット弁
５２１  開閉スリット
５２２  弁保持部材
【発明を実施するための形態】
【００４５】
本発明の薬剤一体型ケア具は、内部に薬剤が収容されるボトル体と、軸部及び先端側のケア部を有し、ボトル体の先端側に突設される人や動物の口腔、肌、頭皮などをケアするためのケア体と、ボトル体の先端部に設けられ、内部の薬剤をケア体に導くための流路とを備え、開封操作によってボトル体内部の流路が薬剤流通可能となることを特徴としている。図１〜１３は第１実施形態、図１４〜２５は第２実施形態、図２６〜３６は第３実施形態、図３７、３８は第４実施形態を示している。
【００４６】
まず、図１〜１３に基づき、本発明の第１実施形態を説明する。
【００４７】
本実施形態の薬剤一体型ケア具３０Ａは、図１に示すように、内部に薬剤が収容されたボトル体１Ａと、ボトル体１Ａの先端部にボトル体１Ａの軸線方向に突設されるケア体４である歯間ブラシ体２０Ａと、ボトル体１Ａの先端に装着され、歯間ブラシ体２０Ａを覆うキャップ体１０Ａとから構成されており、キャップ体１０Ａの基端部をボトル体１Ａからねじ切って離脱させる開封操作により、薬剤の吐出を可能とする構造を有している。
【００４８】
薬剤一体型ケア具３０Ａは、無菌充填包装製造機によって、一連のブローフィルシール（ＢＦＳ）工程下で製造される。ブローフィルシール工程とは、無菌の薬剤を無菌の容器へ無菌環境下で封入する製造工程である。従って、ボトル体１Ａ内の薬剤はパラベンやアルコール等の防腐剤を配合することなく長期保存が可能とされている。ボトル体１Ａのサイズを小さくして充填する薬剤の容量を一回の使用量に相当する量とすることにより、小型で携帯性に優れた一回使用限りの使い捨てタイプとすることができる。
【００４９】
ボトル体１Ａは、内部に薬剤を収容するとともに使用の際に指を添えて手で把持する部分であり、低密度ポリエチレン（ＬＤＰＥ）等の軟質ポリエチレン、ポリプロピレン（ＰＰ）、ＥＶＡ（エチレン−酢酸ビニル共重合体）、ＥＶＯＨ（エバール）、ナイロンといった軟質の熱可塑性合成樹脂を単独、またはポリマーブレンドして製造され、単層又は複層としてもよい。このようなボトル体１Ａは、軟質樹脂から構成されることにより指でボトル体１Ａを押圧して容易に薬剤を押し出すことができる構造とすることができる。特に、低密度ポリエチレン（ＬＤＰＥ）から構成されることによって軽く且つ操作性に優れたものとすることができる。
【００５０】
ボトル体１Ａに収容される薬剤は、ケア体４の種類に応じて適宜選択すればよく、本例のようにケア体４が歯間ブラシ体２０Ａの場合には、歯周病の予防および治療、う蝕予防、美白、保湿、治療などの目的に応じて選択される。例えば、歯間ジェル、水歯磨剤、ジェル歯磨剤、歯間塗布剤などの液状、ジェル状の流動性を有する組成物が使用できる。
【００５１】
ボトル体１Ａの先端部には、図２に示すように、ケア体４である歯間ブラシ体２０Ａの軸部５を埋設支持するブラシ支持部１３とその外周部に設けられえる筒状突部１６とが設けられている。筒状突部１６は、ブラシ支持部１３に支持されて先端側に突設されるケア体４である歯間ブラシ体２０Ａの基端側の軸部５を覆うように、ブラシ支持部１３の外周部に筒状に突出する筒状突部１６であり、筒状突部１６の壁内側（壁内部）には、薬剤２を筒状突部１６先端側に導くための流路１４Ａが設けられている。
【００５２】
また、ボトル体１Ａの先端部の内面側には連結板１８が設けられ、筒状突部１６の底部には連結板１８が設けられており、該連結板１８により前記ブラシ支持部１３の基端側外周面がボトル体１Ａの先端外周部に連結支持されている。連結板１８には、図２（ｃ）に示すように周方向に沿って所定距離を置いて複数個の開口部１５ａが形成されており、該開口部１５ａは前記筒状突部１６の壁内側の流路１４Ａのボトル体側の開口部１５ａとして機能する。筒状突部１６及びその壁内側の流路１４Ａは、先端側で軸中心方向に屈曲しており、当該屈曲した筒状突部１６先端のケア体４である歯間ブラシ体２０Ａの基端部に対面する内周面に、流路１４Ａの吐出口１５ｂが位置され、開封前はキャップ体１０Ａの基端部により塞がれている。そしてキャップ体１０Ａを外す開封操作により吐出口１５ｂが開口し、図２（ｂ）に示すように、薬剤２が流路１４を図中矢印Ｆの方向に流れ、筒状突部１６の内側のブラシ支持部１３上に吐出する。
【００５３】
この筒状突部１６の内側となるブラシ支持部１３の上側の凹部空間は、薬剤２の液溜め部１７として機能する。この液溜め部１７により、ケア体４である歯間ブラシ体２０Ａに塗布された薬剤２の液ダレを防止できるとともに、薬剤の飛散を防止し、歯間ブラシ体２０に対して効率よく供給することができる。粘性の低い薬剤２の場合、液溜め部１７に一旦薬剤２が溜まることで、軸部５を伝って歯間ブラシ体２０Ａのブラシ部２２Ａに供給され、毛細管現象も生じ、ブラシ軸部２１の上部に向って薬剤２が徐々に浸透し、ブラシ部２２に付着することとなる。一方、粘性が高い薬剤２の場合、直接ブラシ部２２に薬剤２を塗布することができる。
【００５４】
キャップ体１０Ａの基端部は、薬剤２を充填した後、筒状突部１６の先端の屈曲部の内周面に吐出口１５ｂを塞ぐように固定される。具体的には、流路１４Ａを塞ぐように筒状突部１６の先端の屈曲部の内周面に接合面を設けて、キャップ体１０Ａの基端部を溶着する。ボトル体１Ａの先端部とキャップ体１０Ａとの接合部は薄肉となっており、キャップ体１０Ａの開封時には、キャップ体１０Ａを図１（ａ）に示すように、矢印Ｇの方向に強引に回転させることによって、接合部を破断し、図１（ｂ）に示すように流路１４Ａの吐出口１５ｂが開口する。なお、キャップ体１０Ａは、ネジ切った後も再度ケア体４を覆うキャップとして利用可能とすることも好ましい例である。
【００５５】
本例のケア体４である歯間ブラシ体２０Ａは、金属細線からなるブラシ軸部２１Ａに対してその長さ方向に沿って複数のフィラメントを放射状に植毛したブラシ部２２Ａとを備えた周知の歯間ブラシ部２６Ａであるケア部６と軸部５とから構成されている。金属細線を二つ折りにしてその間にフィラメントを直交状に配置させ、この金属細線を捻って、金属細線からなるブラシ軸部２１Ａに対してフィラメントを放射状に植毛し、その後フィラメントを所望長さにカットしてブラシ部２２Ａを製作したものである。フィラメントには、例えば、ポリアミド、ポリブチレンテレフタレートといった熱可塑性合成樹脂が使用されている。ブラシ部２２Ａの外形形状は、図２に示すように円錐台状に形成してもよいし、円筒状や長さ方向の途中部の外径を両端部の外径よりも大きく設定した樽状に形成してもよい。また、ブラシ部２２Ａの大きさは適宜変更できる。また、ブラシ部２２Ａとしては、合成樹脂製、または合成樹脂で被覆した金属製のブラシ軸部２１Ａに合成樹脂製や合成ゴム製のフィラメントを放射状に一体的に成形してなるものを採用することも可能である。
【００５６】
ブラシ軸部２１Ａの基端側に連続する歯間ブラシ体２０Ａの軸部５は、ボトル体１Ａの先端のブラシ支持部１３に埋設支持されている。具体的には、ブラシ支持部１３に埋め込まれた包埋部１９に支持されている。つまり基端部が包埋部１９の内部に埋め込まれた状態で歯間ブラシ体２０がボトル体１Ａのブラシ支持部１３に固定されている。より具体的には、歯間ブラシ体２０Ａの軸部５を埋設した包埋部１９をブラシ支持部１３にインサートして一体成形したものである。包埋部１９は、ボトル体１Ａの材料に比べて硬質な合成樹脂で形成されており、具体的には、ＰＰ、アクリロニトリルスチレン共重合体（ＡＳ）、アクリロニトリルブタジエンスチレン共重合体（ＡＢＳ）、ポリエチレンテレフタレート（ＰＥＴ）等の硬質の合成樹脂が用いられる。
【００５７】
図２の例に示すように、包埋部１９に埋設支持される軸部５の基端部が直線状である場合、極端な使い方によっては歯間ブラシ体２０Ａが包埋部１９から抜けてしまう場合も考えられる。したがって、このような抜けを未然に防止するために、例えば図３（ａ）〜（ｄ）に示すように埋設される軸部５基端部を屈曲変形させてもよい。図３（ａ）は、軸部５の基端部２１ａを半円状に折り曲げた例であり、図３（ｂ）は同じく基端部２１ｂをくの字形に折り曲げた例である。また図３（ｃ）は同じく基端部２１ｃをＪ字形（鉤状）に折り曲げた例であり、図３（ｄ）は同じく基端部２１ｄをらせん状に折り曲げた例である。
【００５８】
図４〜７は、ボトル体の先端部の構造の変形例を示している。図４（ａ）〜（ｃ）に示す変形例は、筒状突部１６を先端側を内側に屈曲させることなくストレートに構成した例であり、壁内側の流路１４Ｂの吐出口１５ｂとなる先端部は流路１４Ｂを挟んで内側壁を外側壁よりも低くして、開封後吐出口１５ｂから吐出する薬剤２がブラシ支持部１３上側の内側に向かうように構成されている。開封前の状態では、この吐出口１５ｂはキャップ体１０Ｂの基端部の屈曲部でふさがれている。流路１４Ｂの内側のブラシ支持部１３上側には液溜め部１７が形成されている。
【００５９】
図５（ａ）〜（ｃ）に示す変形例は、ボトル体１Ｃの先端部にケア体４である歯間ブラシ体２０Ａの軸部５を覆うように筒状に突出する筒状突部１６を備え、該筒状突部１６の壁内側ではなく、壁と内側のブラシ支持部１３の外周面との間の隙間に薬剤２を筒状突部１６の先端側に導く流路１４Ｃが設けられている。本例の流路１４Ｃは、直線状であり、ボトル体１Ｃのブラシ支持部１３に形成され、キャップ体１０Ｃの基端部の屈曲部で流路１４Ｃの吐出部がふさがれている。また、液溜め部１７はブラシ支持部１３の上に形成され、流路１４Ｃの吐出口１５ｂは液溜め部１７の底部に位置されている。
【００６０】
図６（ａ）、（ｂ）に示す変形例は、図４に示した例と同様、筒状突部１６をストレートに構成し、壁内側の流路１４Ｂの吐出口となる先端部は流路１４Ｂを挟んで内側壁を外側壁よりも低くし、開封後吐出口から吐出する薬剤２がブラシ支持部１３上側の内側に向かうように構成しているが、吐出口はキャップ体１０Ｄのストレート状に延びた基端面が当接した状態でふさいでいる。また、ブラシ支持部１３は先端側に膨出しており、内部の包埋部１９も軸方向に長く、ケア体４である歯間ブラシ体２０Ａの支持強度を向上できるように構成されている。
【００６１】
図７（ａ）、（ｂ）に示す変形例は、ブラシ支持部１３と筒状突部１６をボトル体１Ｅと一体的に成形したものである。ケア体４である歯間ブラシ体２０の軸部５の基端部は、ボトル体１Ｅの先端のブラシ支持部１３に埋め込まれた包埋部１９に埋設されている。また、流路１４Ｅは直線状であり、ブラシ支持部１３とボトル体１Ｅの先端側の外壁との隙間及びその先端側に形成されている筒状突部１６の壁内側に連通して形成されている。また、液溜め部１７は、ブラシ支持部１３の上面側の筒状突部１６の内側に凹状に形成されている。そして、図６の例と同様、流路１４Ｅの先端の吐出口はキャップ体１０Ｅのストレート状に延びた基端面が当接した状態でふさいでいる。
【００６２】
次に、本実施形態の薬剤一体型ケア具３０Ａの製造方法について説明する。
【００６３】
薬剤一体型ケア具３０Ａは、無菌（アセブティック）充填包装製造機により公知のブローフィルシール（ＢＦＳ）工程のもとで製造される。ブローフィルシール工程は、ポリエチレン等の樹脂容器を機械内で成型し、そのまま連続して液の充填・開口部の密封をするもので、成形（ブロー）・充填（フィル）・密封（シール）を一連の作業で行うシステムである。ブローフィルシール工程の特徴は無菌の薬剤を無菌の容器へ無菌環境下にて製造ができる。従って、パラベンやアルコール等の防腐剤を配合しなくても、長期の保存が可能となり、防腐剤を配合していない１回使い捨て型薬剤一体型ケア具として製造することも可能である。
【００６４】
ケア体４である歯間ブラシ体２０Ａを別途準備しておく。歯間ブラシ体２０Ａは、例えば、ナイロン等のフィラメントと金属ワイヤ（または、合成樹脂で被覆した金属製ワイヤ）を用いて歯間ブラシ製造機により製造される。フィラメントおよびブラシ軸部２１Ａが合成樹脂製の歯間ブラシ体２０Ａの場合には射出成形プロセスにより製造される。この場合、例えばフィラメントをナイロン等の軟質樹脂を用い、且つブラシ軸部２１をポリプロピレン等の硬質の硬質樹脂を用いることが好ましい。
【００６５】
歯間ブラシ体２０の軸部５の基端側に包埋部１９を成形する。具体的には、歯間ブラシ体２０の軸部５の基端部を包埋部１９用の金型内に挿入し、包埋部１９の材料となる熱可塑性合成樹脂を金型内に充填して樹脂を固める。この後、包埋部１９用の金型を開いて、包埋部１９を取り出す。これにより、ボトル体１Ａの先端部に取り付けるケア体４が準備される。
【００６６】
ボトル体１Ａは、ブロー成型により製造される。本工程でボトル体１Ａの筒状突部１６、ブラシ支持部１３の一部及び本体部が成形される。まず、無菌エアー下で金型の内部に溶融樹脂を押し出し、押し出した開口部位から圧縮空気を送り込み樹脂を膨張させて中空円筒状の本体部を成形する。先端部位はブロー成形時に金型内で拘束され、ブラシ支持部１３の一部や筒状突部１６が成形される。
【００６７】
本体部が固まると、薬剤２が充填ノズルにより充填される。薬剤２の粘度は、流路１４Ａの吐出口１５ｂからの吐出性、液溜め部１７における薬剤２の飛散抑止、軸部５やケア部６における毛細管現象の促進の観点から、所望の粘度が選定される。例えば、薬剤２の粘度としては、細管である流路１４Ａから吐出できる程度であれば特に限定するものではないが、歯間ブラシ体の場合、Ｂ型回転式粘度計を用いて測定した２０℃，６０秒における粘度値が２０００mPa・s以下のものが好ましい。
【００６８】
そして、ブラシ支持部１３と歯間ブラシ体２０Ａを一体成形することでボトル体１Ａの先端部を成形する。具体的には、歯間ブラシ体２０Ａのブラシ軸部２１を埋設した包埋部１９をボトル体１Ａの先端部成形用の金型内に挿入し、ボトル体１Ａのブラシ支持部１３の材料となる合成樹脂を金型内に充填して合成樹脂を固める。この後、金型を開いて、ボトル体１Ａを取り出す。これにより、軸部５の基端部をボトル体１Ａのブラシ支持部１３に埋設させて、歯間ブラシ体２０Ａとボトル体１Ａとを一体化させ、歯間ブラシ体２０が設けられたボトル体１Ａが形成される。尚、薬剤はこの歯間ブラシ体２０Ａとボトル体１Ａの一体成形後に充填するようにしてもよい。
【００６９】
キャップ体１０Ａはボトル体１Ａと同じ材質で射出成形プロセスによって別途製造され、ボトル体１Ａに薬剤２を充填した後、キャップ体１０Ａの基端部を吐出口１５ｂとなる筒状突部１６先端の屈曲部内周面に熱接着により接合し、薬剤が密封されたボトル体１Ａが形成される。なお、薬剤２が酸化されやすい場合には密封前に窒素パージを行ってもよい。
【００７０】
図８は、薬剤一体型ケア具３０Ａに装着されるホルダーの例を示している。ホルダー８０は、ボトル体４１Ａを収納可能なホルダー本体部８１とケア体４である歯間ブラシ体２０Ａを覆うホルダーキャップ部８２とを有する。ホルダー８０は、軟質樹脂から構成されるボトル体４１Ａよりも硬質な硬質材からなる。硬質材としては、ステンレスやアルミニウム等の金属、ポリプロピレンやポリスチレン、アクリル等の硬質合成樹脂等、各種硬質材から適宜選択できる。
【００７１】
ホルダー本体部８１は、有底円筒形状を有し、ホルダー本体部８１に収納されるボトル体４１Ａを側方より指で押圧できる開口部８３がホルダー本体部８１の周壁部に２つ設けられている。また、２つの開口部８３は、互いに対向する位置に設けられている。そして、使用の際には、図９に示すように開口部８３からそれぞれ指を入れて内部のボトル体４１Ａ側面を押圧し、薬剤を吐出させることができる。開口部８３は１つのみ又は３つ以上設けたものでもよい。
【００７２】
ホルダーキャップ部８２は、図８に示すように、ホルダー本体部８１の先端部に着脱自在に冠着される。ホルダーキャップ部８２は、その基端部側の内周面に１条の環状凸部８４が形成されており、ホルダー本体部８１の先端部の環状凹溝８５に嵌合させることが可能となる。なお、ケア体４である歯間ブラシ体２０Ａを乾燥させるために、ホルダーキャップ部８２に通気孔を設けてもよい。
【００７３】
図１０は、ホルダーの他の例を示す説明図である。本例のホルダー９０は、ボトル体４１Ｂを収納可能なホルダー本体部９１と歯間ブラシ体２０Ａを覆うホルダーキャップ部９２とを有する。ホルダー９０は、ホルダー８０と同様、硬質材からなる。ホルダーキャップ部９２の基端部側の内周面には１条の環状凸部９３が形成されており、これがホルダー本体部９１の先端部の環状凹溝８５に係合してホルダーキャップ部９２がホルダー本体部９１の先端部に着脱自在に冠着される。
【００７４】
ホルダー９０に装着される薬剤一体型ケア具３０Ｂは、ボトル体４１Ｂが、先端側途中部に設けられた鍔状の係合部４７を境に、先端側の首部６０Ａと基端側の本体部４３Ｂより構成され、本体部４３Ｂは軟質樹脂で蛇腹形状に形成されることによって軸方向に圧縮変形自在に構成され、比較的粘度の高い薬剤を充填している場合であっても、容易に押し出すことが可能とされている。ホルダー本体部９１は、基端側から収納され、前記鍔状の係合部４７がホルダー本体部９１の内周面に形成された係合部９８，９９間に係止された状態で、蛇腹形状の本体部４３Ｂを基端側から押圧部材９７により押圧して圧縮する押圧機構５０が設られている。
【００７５】
押圧機構５０は、軸中心に配置されるスクリューロッド９６と、ホルダー本体部９１の基端部に回転可能に装着され、該スクリューロッド９６を回転させる操作部９５と、ホルダー本体部９１の内周面に案内されて軸方向に移動可能に装着され且つスクリューロッド９６に螺合し、スクリューロッド９６の回転とともに軸方向に移動する押圧部材９７とより構成されている。
【００７６】
より具体的には、押圧部材９７は、ボトル体４１Ｂの本体部４３Ｂの基端面に当接する当接部５１と、スクリューロッド９６に螺合するネジ孔５４が設けられた底部５３と、当接部５１及び底部５３を連結する連結部５２とを備えている。また、ホルダー本体部９１の内周面には、軸方向に沿ったガイド部５５は、押圧部材９７の当接部５１及び底部５３の外周面にそれぞれ形成された係合凹部５６、５７に係合し、当該押圧部材９７を回転不能且つ軸方向に移動可能に案内する凸条である。なお、押圧部材９７を回動不能且つ軸方向に移動可能に案内する構造は、これに限られるものではない。押圧部材９７の摺動速度は、スクリューロッド９６のねじのリード角を変更することによって、所望の速度に変更することが可能である。
【００７７】
また、操作部９５の係合部５９は、ホルダー本体部９１の係合部５８と着脱自在に係合されている。ホルダー本体部９１から操作部９５を取り外すことにより、基端側から薬剤一体型ケア具３０Ｂを装着することができる。操作部９５を、矢印Ｇ方向に回すと、連動して回動するスクリューロッド９６に螺合した押圧部材９７が矢印Ｈ方向に移動する。この時に、ボトル体４１Ｂの係合部４７がホルダー本体部９１に設けられた係合部９８，９９に係合して固定された状態であるため、ボトル体４１Ｂの底面に当接する当接部５１は、ボトル体４１Ｂの底面を押して圧縮し、ボトル体４１Ｂに充填された薬剤が押し出される。
【００７８】
なお、ホルダー９０においては、圧縮されたホルダー本体部９１の復元力によって、押圧部材９７に対して基端側（矢印Ｈと反対の方向）に向かう力が働くが、それを抑えるためにスクリューロッド９６の逆回転を防止するためのラチェット機構を設けてもよい。また、ラチェット機構を開放するための機構をさらに設けることによって押圧部材９７をもとの原点位置、すなわち、新たなボトル体４１Ｂをセットする時点の位置に戻すことができるようにしてもよい。
【００７９】
本変形例のホルダー９０によれば、硬質材からなり、ボトル体を収納可能なホルダー本体部を有するホルダーを備えることによって、使用時における持ちやすさおよび使いやすさを向上させることが可能となる。また、操作部９５を必要に応じて回転させることによって、薬剤の吐出量を調整することが可能になる。さらに、ボトル体４１Ｂ内部の残留物を少なくすることができるとともに、吐出された薬剤がボトル体４１Ｂに戻ることを抑制することが可能となる。また、ホルダー８０においては、ボトル体４１Ａを押圧可能な開口部８３を設けているので、ホルダーの筐体のデザインおよび経済的な面で制約を受ける場合が考えられるが、本変形例のホルダー９０によれば、このような制約が少ない。
【００８０】
以上、第１実施形態について説明したが、この発明は上記説明した内容のものに限定されるものではない。例えば、キャップ体の流路に逆止弁を設けて、薬剤の漏れや、逆流を抑制してもよい。また、第１実施形態においては、薬剤一体型ケア具３０が、一つからからなる「セパレートタイプ」であったが、図１１に示すように、薬剤一体型ケア具３０Ａの容器の一部（例えば金型パーティングライン）で線状に連結することによって、複数本の容器が連接して形成された「多連包容器タイプ」としてもよい。図１１の例においては、薬剤一体型ケア具３０Ａのボトル体１Ａが、金型パーティングライン２５で線状に連結される。
【００８１】
また、ケア体４は、ケア部６が歯間ブラシ部２６Ａである歯間ブラシ体２０Ａとした例について説明したが、これに限定されず、例えば図１２に示すように、ケア部６が歯ブラシ部２６Ｂである歯ブラシ体２０Ｂとしたものや、図１３に示すように、ケア部６が舌クリーナー部２６Ｃである舌クリーナー体２０Ｃとしたものも好ましい実施例である。図１２、１３に示す例では、歯ブラシ体２０Ｂや舌クリーナー体２０Ｃの軸部５には、軸線方向に沿った凹溝２３、２４が設けられ、薬剤２が凹溝２３、２４に沿ってケア部６に至るように構成されている。
【００８２】
次に、図１４〜２５に基づき、本発明の第２実施形態を説明する。
【００８３】
本実施形態の薬剤一体型ケア具１００Ａは、図１４に示すように、首部４４先端にシール部４５が設けられ、内部に薬剤２が密閉状態で収容されたボトル体４１Ａと、ボトル体４１Ａの首部４４に装着されるキャップ部材６０Ａと、キャップ部材６０Ａの先端側の上壁部６６の外面６２に突設されるケア体４である歯間ブラシ体２０Ａとから構成されている。ボトル体４１Ａは、図１４に示すように、本体部４３Ａと筒状に突出した首部４４と首部４４の先端に位置するシール部４５とからなり、首部４４の外周にネジ部４６が設けられている。そして、キャップ部材６０Ａをボトル体首部４４に装着する開封操作により、後述する突起６３Ａがシール部４５を貫通し、流路６４Ａを通じてボトル体内部の薬剤が歯間ブラシ体２０Ａの基端部周辺に供給可能とされる。
【００８４】
このようなボトル体４１Ａは、上記第１実施形態と同様、無菌充填包装製造機により一連のブローフィルシール（ＢＦＳ）工程下で内部に薬剤２を密閉状態で収容した状態に成形される。ボトル体４１Ａは、薬剤２を充填した後に、シール部４５として本体部４３Ａと同じ材質のフィルムを首部４４先端の開口部に熱接着して封止して構成されている。シール部４５は、アルミ、ゴム、合成樹脂、シリコン等を材質とするシートやフィルムなどの部材をＢＦＳ工程内におけるインサート成型過程において接着させることで形成することもできる。ボトル体４１Ａの材質は、上記第１実施形態のボトル体１Ａと同様のものを採用できる。また、ボトル体４１Ａに収容する薬剤２についても、上記第１実施形態と同様、先端のケア体４の種類に応じて適宜選択すればよい。
【００８５】
キャップ部材６０Ａの内周部には、図１５（ｂ）及び図１６に示すように、首部４４外周のネジ部４６が螺合する雌ネジ部６８が形成され、ケア体４である歯間ブラシ体２０Ａを有するキャップ部材６０Ａとボトル体４１Ａとは互いに着脱自在に構成されている。したがってボトル体４１Ａの薬剤を使いきったときにはキャップ部材６０Ａを取り外して新しい別のボトル体４１Ａに付け替え、再利用することができる。キャップ部材６０Ａには、ボトル体４１Ａのシール部４５に対面する内面６１側に先細の円錐形状の突起６３Ａが設けられるとともに、内面６１側から外面６２側に通じる薬剤流通用の流路６４Ａが設けられている。携帯用として用いられる場合の薬剤一体型ケア具１００Ａにおいては、キャップ部材６０Ａの上壁部６６の外面６２側の直径として一例を挙げると、ブラシ部７２のブラシ径プラス１ｍｍのサイズに設定する。
【００８６】
歯間ブラシ体２０Ａは、上記第１実施形態と同様の歯間ブラシ部２６と軸部５とより構成され、軸部５の基端部には同じくキャップ部材６０Ａに埋め込まれる包埋部６９が設けられている。包埋部６９に埋め込まれる軸部５の基端部の形状についても、上記第１実施形態と同様に変形させることができ、図１７（ａ）は基端部７３ａを半円状に折り曲げた例、図１７（ｂ）は基端部７３ｂをくの字形に折り曲げた例、図１７（ｃ）は基端部７３ｃをＪ字形（鉤形）に折り曲げた例、図１７（ｄ）は基端部７３ｄをらせん状に折り曲げた例を示している。
【００８７】
キャップ部材６０Ａの上壁部６６の内面には、先端の尖った円錐状の突起６３Ａがキャップ部材の内側（基端方向）に向けて突設されている。また上壁部６６には、薬剤２を歯間ブラシ体２０Ａのブラシ部２２Ａに導くための流路６４Ａが形成されている。流路６４Ａは上壁部６６の内面６１側から外面６２側に連通する貫通孔であり、内面６１側の開口部６５ａは突起６３Ａの根元の周囲に形成され、外面６２側に位置する開口部６５ｂは歯間ブラシ体２０Ａに対面する吐出口となる。尚、流路６４Ａの位置はこれに限られず、キャップ部材６０Ａの上壁部６６の所望の位置に設けることができ、例えば図１８に示すようにキャップ部材６０Ｂの突起６３Ｂの根元側の外周面から上壁部６６外面６２側に連通する貫通孔としてもよい。
【００８８】
キャップ部材６０Ａの外面６２側には、筒状に突出する筒状突部６７が設けられ、該筒状突部６７の内側に歯間ブラシ体２０Ａが突設されるとともに流路６４Ａが開口している。この筒状突部６７の内側の凹状空間が流路６４Ａの開口部から吐出した薬剤２の液溜め部７５として機能し、歯間ブラシ体２０Ａに塗布された薬剤２の液ダレを防止するとともに薬剤２が多量に押し出されても飛散することを抑制することができる。
【００８９】
このような本実施形態の薬剤一体型ケア具１００Ａは、図１９（ａ）〜（ｂ）に示すように、キャップ部材６０Ａをボトル体４１Ａの首部４４に螺合により装着することにより、突起６３Ａがシール部４５を破って貫通し、これによりボトル体４１Ａのシール部４５の一部が開口し、キャップ部材６０Ａを少し緩めることで薬剤２が流路６４Ａを通じて歯間ブラシ体２０Ａの基端部周辺に供給可能となる。この際、図１９（ｃ）に示すように、薬剤２の吐出量はキャップ部材６０Ａを緩めるほど増加し、吐出量を調整することができる。不使用の際には、キャップ部材６０Ａを硬く閉めることによって密閉されるので、薬剤２の漏出を防止することができる。
【００９０】
図２０は、図１８で説明した変形例に係るキャップ部材６０Ｂを装着した状態を示している。キャップ部材６０Ｂの突起６３Ｂがシール部４５を貫通することによりキャップ部材６０Ｂのシール部４５が開口する。本例では、通孔６４Ｂは突起６３Ｂの外周面の根元側途中部に開口しているため、キャップ部材６０Ｂを緩めることなく薬剤が通孔６４Ｂを通じて吐出可能となる。本例においても、薬剤２の供給量をキャップ部材６０Ｂの開閉によって容易に調節することが可能である。
【００９１】
次に、本実施形態の薬剤一体型ケア具１００Ａの製造方法について説明する。
【００９２】
薬剤一体型ケア具１００Ａは、第１実施形態と同様、無菌（アセブティック）充填包装製造機によって、公知のブローフィルシール工程下で製造される。ボトル体４１Ａは、ブロー成型によって製造する。本工程で、首部４４とそれに続く本体部４３Ａが成形される。まず、無菌エアー下で、金型の内部に溶融樹脂を押し出す。次に、押し出した開口部位から圧縮空気を送り込み、樹脂を膨張させて、中空円筒状の本体部４３Ａが成形される。開口部位は、ブロー成形時に金型内で拘束され、膨張することなく、首部４４が成形される。
【００９３】
次に、充填ノズルにより薬剤２の充填が行われる。薬剤２の粘度は上記第１実施形態と同様、流路６４Ａの開口部６５ｂからの吐出性、液溜め部７５における薬剤２の飛散抑止、ブラシ軸部７１における毛細管現象の促進の観点から、所望の粘度が選定される。薬剤２を充填した後に、本体部４３Ａと同じ材質のフィルムを首部４４の先端に熱接着することによってシール部４５を形成して密封し、薬剤が収容されたボトル体４１Ａが形成される。なお、薬剤２が酸化されやすい場合には、密封前に窒素パージを行ってもよい。歯間ブラシ体２０Ａについても、上記第１実施形態と同様、例えば、ナイロン等のフィラメントと金属ワイヤ（または、合成樹脂で被覆した金属製ワイヤ）を用いて歯間ブラシ製造機によって製造される。
【００９４】
キャップ部材６０Ａは、射出成形プロセスによって製造する。上壁部６６への歯間ブラシ体２０Ａの取り付けは、キャップ部材６０Ａの成形時に軸部５基端部に形成されている包埋部６９をインサート成形して一体的に固定される。具体的には、具体的には、歯間ブラシ体２０Ａの基端側の包埋部６９をキャップ部材６０Ａ成形用の金型内に挿入し、キャップ部材６０Ａの材料となる合成樹脂を金型内に充填して合成樹脂を固めた後、金型を開いてキャップ部材６０Ａを取り出す。これにより、軸部５の基端部をキャップ部材６０Ａの上壁部６６に埋設させて歯間ブラシ体２０Ａとキャップ部材６０Ａとを一体化させ、歯間ブラシ体２０Ａが設けられたキャップ部材６０Ａが形成される。そして、ボトル体４１Ａにキャップ部材６０Ａを装着して薬剤一体型ケア具１００Ａが完成する。
【００９５】
本実施形態の薬剤一体型ケア具１００Ａは、上記第１実施形態と同様、図２１〜２３に示すようなホルダー８０（９０）を設けることが好ましい。ホルダー８０（９０）は、ボトル体４１Ａを収納可能なホルダー本体部８１（９１）と、キャップ部材６０Ａ及びケア体４である歯間ブラシ体２０Ａを覆うホルダーキャップ部８２（９２）とを備えている。ホルダー９０に装着される薬剤一体型ケア具１００Ｂは、首部４４の基端側に鍔状の係合部４７が設けられ、ボトル体４１Ｂの本体部４３Ｂは軟質樹脂で蛇腹形状に形成されることによって軸方向に圧縮変形自在に構成されている。本体部４３Ｂは、末端部を押すことにより本体部４３Ｂを軸線方向に収縮可能である。本体部４３Ｂを蛇腹形状とすることによって比較的粘度の高い薬剤を充填している場合であっても、容易に押し出すことが可能となる。その他、ホルダー８０（９０）は基本的に上記第１実施形態の図８〜１０で説明したものと同じであり、同一構造については同一符号を付してその説明を省略する。
【００９６】
以上、第２実施形態について説明したが、第１実施形態と同様、例えば流路６４Ａに逆止弁を設けて、薬剤の漏れや、逆流を抑制してもよい。また、図２５に示すように、薬剤一体型ケア具１００Ａの容器の一部（例えば金型パーティングライン）で線状に連結することによって、複数本の容器が連接して形成された「多連包容器タイプ」としてもよい。図２５の例においては、薬剤一体型ケア具１００Ａのボトル体４１Ａが、金型パーティングライン３５で線状に連結されている。また、ケア体４についても、第１実施形態と同様、歯間ブラシ体２０Ａに限定されず、例えば図１２、図１３に示したように、歯ブラシ体２０Ｂや舌クリーナー体２０Ｃとしたものも好ましい実施例である。
【００９７】
次に、図２６〜３６に基づき、本発明の第３実施形態を説明する。
【００９８】
本実施形態の薬剤一体型ケア具２００は、図２６、２７に示すように、キャップ部材１６０をボトル体１４３の首部４４に装着する開封操作により、キャップ部材１６０の内面側の突起６３Ａがボトル体１４３のシール部４５を貫通し、ケア体４である歯間ブラシ体１７０の軸部内部に設けられた流通路１７５に対して通孔１６２を通じて薬剤２を供給することを可能とするものである。本実施形態の薬剤一体型ケア具２００は、上記第２実施形態と同様、内部に薬剤２が密閉状態で収容されたボトル体４１Ａと、ボトル体４１Ａの先端の開口部に装着されるキャップ部材１６０と、キャップ部材１６０の上面側にボトル体４１Ａの軸線方向に突設されるケア体である歯間ブラシ体１７０とからなり、ボトル体４１Ａ及び薬剤２は、基本的に上記第２実施形態と同様であり、同一構造には同一符号を付して説明は省略する。
【００９９】
また、薬剤一体型ケア具２００の製造方法についても、上記第２実施形態と同様であり、無菌充填包装製造機によって一連のブローフィルシール（ＢＦＳ）工程下で製造される。ブローフィルシール工程の特徴は無菌の薬剤を無菌の容器へ無菌環境下にて製造ができる。従って、パラベンやアルコール等の防腐剤を配合しなくても、長期の保存が可能となり、防腐剤を配合していない１回使い捨て型薬剤一体型ケア具として製造することも可能である。
【０１００】
キャップ部材１６０の内周面には、ボトル体４１Ａの首部４４に設けられたネジ部４６に螺合する雌ネジ部６８が設けられており、ボトル体４１Ａに対して着脱自在に構成されている。したがって、薬剤２を使いきったときには、キャップ部材１６０を取り外して新しい別のボトル体４１Ａと付け替えることができるように構成されている。また、シール部４５に対面する内面側には突起６３Ａが設けられている。キャップ部材１６０の上壁部６６の内面側には、先端の尖った円錐状の突起６３Ａが基端側に向けて突設されている。また、この突起６３Ａ及び上壁部６６には、突起６３Ａの外周面上に開口し、ケア体４である歯間ブラシ体１７０の軸部５内の流通路１７５に連通する通孔１６２が形成されている。
【０１０１】
ケア体４である歯間ブラシ体１７０は、図２８，２９に示すように、ブラシ軸部１７２及び一部切り欠きを有する複数のブラシ片１７８よりなる歯間ブラシ部１７１と、ブラシ軸部１７２の基端側に連続して基端部がキャップ部材１６２に支持される軸部５とよりなり、歯茎をいためないように例えば全体又は少なくともブラシ片１７が天然ゴム、合成ゴム、軟質合成樹脂または熱可塑性エラストマーにて成形されている。歯間ブラシ部１７１の外形は、図２８に示すように中央部が膨らんだ太鼓状に形成してもよいし、らせん状に形成してもよい。ブラシ軸部１７２及びこれに連続する軸部５には、内部に軸方向に連通する流通路１７５が設けられており、ブラシ軸部１７２には前記流通路１７５に連通して前記ブラシ片１７８の間の位置に開口する吐出路１７６が複数設けられている。
【０１０２】
流通路１７５及び吐出路１７６の内径は、適宜変更できるが０．４ｍｍ〜１．０ｍｍが好ましい。吐出路１７６は、軸方向に沿ったブラシ片１７８間の複数の位置のうち、一つ飛ばしおきに同一の方向（図中Ｆ１の方向）に平行に設けられており、吐出路１７６の開口部は軸方向に一直線状に並んでいる。そして、各ブラシ片１７８には当該開口部の方向に切欠が設けられており、ブラシ片１７８間に吐出した薬剤が当該切欠を通じて隣接するブラシ片間の位置に移動し、薬剤が歯間ブラシ部１７１の全体に行き渡るように構成されている。このような切欠により、ブラシ片１７８間のすべての位置に吐出路の開口を設けなくても薬剤が行き渡り、吐出路による強度の低下を回避することができるのである。ただし、このような構造以外を採用しても勿論よい。
【０１０３】
歯間ブラシ体１７０の軸部５は、キャップ部材１６０の上壁部６６の外面６２に固定されている。尚、キャップ部材１６０の成形時に歯間ブラシ体１７０の軸部５の基端部を上壁部６６に埋設して固定することが好ましい。また、軸部５の基端部に上記突起６３Ａの構造を形成し、軸部５を上壁部６６を貫通して一体成形することも可能である。歯間ブラシ体１７０の軸方向に沿った長さは好ましくは１０〜２０ｍｍに設定される。
【０１０４】
本実施形態の薬剤一体型ケア具２００によれば、図２８に示すようにキャップ部材１６０を回動しながら螺合させて、ボトル体４１Ａの首部４４に装着することによって、キャップ部材１６０の突起６３Ａがキャップ部材１６０のシール部４５を圧接し、シール部４５を貫通することになる。キャップ部材１６０の突起６３Ａがボトル体４１Ａのシール部４５を貫通することによって、ボトル体４１Ａのシール部４５の一部が開口する。そして、ボトル体４１Ａの内部の薬剤２が、通孔１６２、流通路１７５及び吐出路１７６を通じてブラシ片１７８間に供給される。
【０１０５】
本例ではケア体４を歯間ブラシ体１７０としたが他の形態であってもよい。例えば、ケア部が歯ブラシ部である歯ブラシ体、ケア部が舌クリーナー部である舌クリーナー体、ケア部が先細の薬剤吐出部であるピック体、ケア部が歯面清掃部である歯面清掃体、またはケア部が薬剤塗布部である薬剤塗布体とすることが好ましい。そして、これらの形態でも、上記した歯間ブラシ体１７０と同様、軸部５内部の流通路を通じて薬剤がケア部に供給され、吐出口から吐出される。
【０１０６】
図３０は、ケア体４をケア部が歯ブラシ部２６１である歯ブラシ体２６０とした例を示している。歯ブラシ部２６１は、合成樹脂製のヘッド２６３とブラシ毛２６４とからなり、軸部５及びヘッド２６３には薬剤が流通する流通路１６５が設けられ、ブラシ毛１６４が突出側のヘッド面に開口する吐出路２６６から吐出してブラシ毛１６４に薬剤が供給される構造である。流通路２６５、吐出路２６６の内径としては、０．４ｍｍ〜１．０ｍｍが好ましい。またブラシ毛の長さは５〜４０ｍｍが好ましい。
【０１０７】
図３１は、ケア体４をケア部が舌の清掃、殺菌を行うための舌クリーナー部２７１、２８１、２９１、３０１である舌クリーナー体２７０、２８０、２９０、３００とした例を示している。図３１（ａ）、（ｂ）の例は、舌クリーナー部２７１が例えばエラストマー等の弾性体からなる擦掃部材で構成され、軸部５の内部に軸方向に薬剤を流す流通路２７５が形成され、舌クリーナー部２７１には、薬剤を吐出する吐出口２７６が開口している。図３１（ｃ）、（ｄ）の例は、舌クリーナー部２８１の先端部にスポンジ等の多孔質の部材が設けられ、これに軸部５内部の流通路２８５が接続され、該多孔質の部材から薬剤が染み出るように構成されている。
【０１０８】
また、図３１（ｅ），（ｆ）の例は、舌クリーナー部２９１が幅広な側面にフィラメント植毛されたブラシ毛２９４を有し、該側面には軸部５の流通路２９５に連通する吐出口２９６が開口している。植毛用のフィラメントとして、使用可能なものであれば特に限定されないが、例としてはナイロン、ポリエステル、アクリル、ビニロン、ポリプチレンテフタレート等の合成繊維、レーヨン、アセテート等の再生繊維、羊毛、絹、綿、麻等の天然繊維等が挙げられる図３１（ｇ）、（ｈ）の例は、同じくしたクリーナー部２９１が先端面にフィラメント植毛されたブラシ毛３０４を有し、該側面には軸部５の流通路２９５に連通する吐出口３０６が開口している。これら舌クリーナー部の巾は任意に設定できるが、１０ｍｍ〜３０ｍｍが好ましい。また、吐出口の形状もスリット孔、あるいは単数または複数個の孔など、任意に設定できる。
【０１０９】
図３２は、ケア体４をケア部が歯面の清掃を行うための歯面清掃部３１１、３２１、３３１、３４１である歯面清掃体（歯面用イレイザー）３１０、３２０、３３０、３４０とした例を示している。このような歯面清掃体は、ポリエチレン、ポリプロピレン等の合成樹脂からなる軸部５に、例えばシリコンゴム等の弾性体からなる歯面清掃部（イレイザー部）３１１、３２１、３３１、３４１を接着させたものである。
【０１１０】
図３２（ａ）〜（ｄ）の例は、軸部５から歯面清掃部３１１、３２１に亘って内部に軸方向に薬剤２を流す流通路３１５、３２５が形成され、歯面清掃部３１１、３２１の先端面に薬剤２を吐出する吐出口３１６、３２６が形成されている。図３２（ａ）、（ｂ）はストレート形状のもの、図３２（ｃ）、（ｄ）は屈曲形状のものを例示している。軸部５及び歯面清掃部３１１、３２１の外径は任意に設定できるが３ｍｍ〜１０ｍｍが好ましい。また、内部の流通路３１５、３２５の内径も任意に設定できるが０．４ｍｍ〜１．０ｍｍが好ましい。図３２（ｅ）〜（ｈ）は、歯面清掃部３３１、３４１としてスポンジ等の多孔質の部材が設けられ、これに軸部５内部の流通路３３５、３４５が接続され、該多孔質の部材から薬剤が染み出るように構成されている。
【０１１１】
図３３は、ケア体４をケア部が歯間に薬剤を吐出させて清掃を行う薬剤吐出部３５６としたピック体（歯間挿入体）３５０とした例を示している。ピック体３５０は、先端が先細となって湾曲した中空形状の軸部５よりなり、該軸部５の内部が薬剤２を流す流通路３５５となる。先端の吐出口の内径は０．４ｍｍ〜１．０ｍｍが好ましい。ピック体３５０は、ポリエチレン、ポリプロピレン、アクリロニトリル等の合成樹脂からなる。ピック体３５０の長さは１０ｍｍ〜３０ｍｍが望ましい。
【０１１２】
図３４及び図３５は、ケア体４をケア部が歯間の清掃または薬剤塗布を行うための薬剤塗布部３６１、３７１、３８１、３９１、４０１、４１１である薬剤塗布体３６０、３７０、３８０、３９０、４００、４１０とした例を示している。図３４（ａ）〜（ｄ）は、ポリエチレン、ポリプロピレン等の合成樹脂からなる軸部５の先端に薬剤塗布部３６１、３７１としてフェルトが接着剤により接着されたものである。薬剤塗布部３６１、３７１はフェルト以外にスポンジや不織布等の多孔質の部材を用いてもよい。薬剤塗布部３６１、３７１の最大直径は３ｍｍ〜１０ｍｍが好ましい。軸部５の内部には軸方向に薬剤塗布部３６１、３７１に向けて薬剤を流す流通路３６５、３７５が形成されている。流通路３６５、３７１の内径は０．４ｍｍ〜１．０ｍｍが好ましい。
【０１１３】
図３４（ｅ）、（ｆ）は、薬剤塗布部３８１がフィラメント植毛よりなる例を示している。薬剤塗布部３８１は、例えば、ポリエチレン、ポリプロピレン等の合成樹脂からなる軸部５の先端に植毛された毛束からなる。植毛用の繊維は特に限定されないが、例えばナイロン、ポリエステル、アクリル、ビニロン、ポリプチレンテフタレート等の合成繊維、レーヨン、アセテート等の再生繊維、羊毛、絹、綿、麻等の天然繊維等が挙げられる。図３５（ａ）〜（ｄ）は、ポリエチレン、ポリプロピレン等の合成樹脂からなる軸部５の先端に、接着剤によりスポンジよりなる薬剤塗布部３９１、４０１を接着したものである。薬剤塗布部３９１はスポンジ以外にもウレタンや不織布等の多孔質の部材を用いてもよい。薬剤塗布部３６１の最大直径は３ｍｍ〜１０ｍｍが好ましい。図３５（ａ），（ｂ）の例では、軸部５から薬剤塗布部３９１に亘って内部には軸方向に薬剤２を流す貫通孔３９５が連続して形成されており、薬剤塗布部３９１の先端面には薬剤２を吐出する吐出口３９６が設けられている。流通路３６５の内径は、０．４ｍｍ〜１．０ｍｍが好ましい。
【０１１４】
図３６は、ケア体４をケア部が薬剤塗布を行うためのロールオンタイプの薬剤塗布体とした例を示している。薬剤塗布体４１０の軸部５の先端には薬剤２が付着するボール４１１と、ボール４１１の一部を外部に露出させた状態で且つ、他の一部を容器内の薬剤２に接触させることが可能な状態で、回転可能に保持する保持部４１９とが設けられている。ボール４１１は、樹脂または金属で構成され、ボール４１１の径としては、１ｍｍ〜１０ｍｍが好ましい。ロールオン薬剤塗布具４１０の塗布具軸部５は、内部に軸方向にボール４１１に向けて薬剤を流す流通路４１５を有する。流通路４１５の内径は、０．４ｍｍ〜５ｍｍが好ましい。
【０１１５】
次に、図３７、３８に基づき、本発明の第４実施形態を説明する。
【０１１６】
本実施形態の薬剤一体型ケア具５００は、キャップ体５１０の基端部をボトル体５０１からねじ切って離脱させる開封操作により、薬剤の吐出を可能とするものであり、内部に薬剤２が収容されたボトル体５０１と、ボトル体５０１の先端部にボトル体５０１の軸線方向に突設されるケア体４である歯間ブラシ体１７０と、ボトル体５０１の先端に装着され、歯間ブラシ体１７０を覆うキャップ体５１０とより構成されている。本実施形態の薬剤一体型ケア具５００も、第１実施形態と同様、無菌充填包装製造機による一連のブローフィルシール（ＢＦＳ）工程下で製造され、無菌の薬剤を無菌の容器へ無菌環境下にて製造ができる。従って、パラベンやアルコール等の防腐剤を配合しなくても、長期の保存が可能となり、防腐剤を配合していない１回使い捨て型薬剤一体型ケア具として製造することも可能である。
【０１１７】
ボトル体５０１の先端部には、図３８（ａ）に示すように、歯間ブラシ体１７０の軸部５の流通路１７５に連通して薬剤２を導くための通孔１６２が設けられており、ボトル体５０１からキャップ体５１０の基端部をねじ切って離脱させる開封操作により、キャップ体５１０内が気密状態でなくなって気圧バランスが崩れ、薬剤２が吐出可能となる。通孔１６２を通じてボトル体５０１内部の薬剤２が流通路１７５、吐出路１７６を通じて歯間ブラシ部に供給される。また本例では、図３８（ｂ）に示すように、通孔１６２を塞ぐようにシリコン弁からなるスリット弁５２０が設けられている。このスリット弁５２０により、開封前に不用意にボトル体５０１を押圧しても漏れにくくなり、開封後もボトル体５０１を強く押圧しても薬剤２が多量に吐出されることを抑制でき、吐出量を調整することが容易となる。
【０１１８】
スリット弁５２０は、例えば十字形状に開閉スリット５２１を切り込んで形成され、弁保持部材５２２とともにボトル体５０１の先端部に一体成形されている。そして、ボトル体５０１の胴部を押圧して内部に収容された薬剤２を吐出路１７６から注出する際に、スリット弁５２０が注出圧力によって上方に突出させると共に、スリット５２１を開かせて薬剤を注出させることになる。一方、薬剤２の注出を止めるべくボトル本体の胴部の押圧を解除すれば、スリット弁５２０は、スリット５２１を閉じることになる。
【０１１９】
ボトル体５０１の素材及び内部の薬剤は、第１実施形態〜第３実施形態のボトル体及び薬剤と同様のものとすることができる。また、ケア体４である歯間ブラシ体１７０についても、上述した第３実施形態と同様であり、同一構造には同一符号を付して説明は省略する。また本実施形態においては、第３実施形態と同様、ケア体が、ケア部が歯間ブラシ部１７１である歯間ブラシ体１７０であったが、他の形態であってもよい。例えば、図３０〜３７に記載に示すように、ケア部が歯ブラシ部である歯ブラシ体、ケア部が舌クリーナー部である舌クリーナー体、ケア部が先細の薬剤吐出部であるピック体、ケア部が歯面清掃部である歯面清掃体、またはケア部が薬剤塗布部である薬剤塗布体とすることが可能である。そして、これらの形態の軸部内部の流通路を通じて前記薬剤がケア部に供給され、吐出口から吐出される。また、第１実施形態と同様、図２１〜２４に示すようなホルダーに装着することもできる。この際、キャップ体１０Ａをネジ切って開封した後に、ホルダーに装着すればよい。
【０１２０】
上記した第１実施形態〜第４実施形態ならびに変形例で説明した構成は、矛盾が生じない限り適宜一部の構成を入れ換えてもよい。これらの変形例によっても、前記実施の形態と同様の効果を、達成することができる。
【図１】
0005880436.tif 000002
【図２】
0005880436.tif 000003
【図３】
0005880436.tif 000004
【図４】
0005880436.tif 000005
【図５】
0005880436.tif 000006
【図６】
0005880436.tif 000007
【図７】
0005880436.tif 000008
【図８】
0005880436.tif 000009
【図９】
0005880436.tif 000010
【図１０】
0005880436.tif 000011
【図１１】
0005880436.tif 000012
【図１２】
0005880436.tif 000013
【図１３】
0005880436.tif 000014
【図１４】
0005880436.tif 000015
【図１５】
0005880436.tif 000016
【図１６】
0005880436.tif 000017
【図１７】
0005880436.tif 000018
【図１８】
0005880436.tif 000019
【図１９】
0005880436.tif 000020
【図２０】
0005880436.tif 000021
【図２１】
0005880436.tif 000022
【図２２】
0005880436.tif 000023
【図２３】
0005880436.tif 000024
【図２４】
0005880436.tif 000025
【図２５】
0005880436.tif 000026
【図２６】
0005880436.tif 000027
【図２７】
0005880436.tif 000028
【図２８】
0005880436.tif 000029
【図２９】
0005880436.tif 000030
【図３０】
0005880436.tif 000031
【図３１】
0005880436.tif 000032
【図３２】
0005880436.tif 000033
【図３３】
0005880436.tif 000034
【図３４】
0005880436.tif 000035
【図３５】
0005880436.tif 000036
【図３６】
0005880436.tif 000037
【図３７】
0005880436.tif 000038
【図３８】
0005880436.tif 000039